(57)【要約】【課題】ガイド情報付きの映像再生装置であって拡大映像表示が可能なものにおいて、ガイド情報と映像との表示位置がずれて映像作成者の意図した映像が再現できなくなることを防止するとともに、ユーザの「映像を拡大表示したい」という意図を無視しないようにし、かつガイド情報が拡大映像表示範囲内に入らずにユーザがガイド情報を確認できなくなることを防止する。【解決手段】本来の映像の一部を拡大した拡大映像を表示する機能とガイド情報を表示する機能とを備えた映像再生装置において、拡大映像の表示範囲内にガイド情報を表示不可能な場合に、前記本来の映像の縮小映像５を前記拡大映像と同時に表示し、かつ縮小したガイド情報６を縮小映像５に合成して表示する。【選択図】      図１
2004343264.tif 000002
【特許請求の範囲】
【請求項１】
本来の映像の一部を拡大した拡大映像を表示する機能とガイド情報を表示する機能とを備えた映像再生装置において、拡大映像の表示範囲内にガイド情報を表示不可能な場合に、前記本来の映像の縮小映像を前記拡大映像と同時に表示し、かつ縮小したガイド情報を前記縮小映像に合成して表示することを特徴とする拡大映像の表示方法。
【請求項２】
拡大映像と縮小映像との両方が動画であることを特徴とする請求項１記載の拡大映像の表示方法。
【請求項３】
拡大映像と縮小映像とのいずれか一方が動画であるとともに、他方が静止画であることを特徴とする請求項１記載の拡大映像の表示方法。
【請求項４】
縮小したガイド情報を縮小映像に合成して表示している場合に、ガイド情報を拡大映像の表示範囲内に表示可能となったときには、縮小映像の表示を中止して、拡大したガイド情報を拡大映像に合成することを特徴とする請求項１から３までのいずれか１項記載の拡大映像の表示方法。
【請求項５】
縮小したガイド情報を縮小映像に合成して表示している場合に、ガイド情報がなくなったときには、縮小映像の表示を中止することを特徴とする請求項１から４までのいずれか１項記載の拡大映像の表示方法。
【発明の詳細な説明】
【０００１】
【発明の属する技術分野】
本発明は拡大映像の表示方法に関する。
【０００２】
【従来の技術】
従来、たとえばＤＶＤプレーヤにて映像を表示する際には、その映像の一部分を拡大して表示する、拡大映像表示が行われることがある。また従来、本来の映像のほかに、ガイド情報を、この本来の映像に合成して重ねて表示することが行われることがある。
【０００３】
従来、映像拡大表示中にガイド情報の存在を検知しても、ガイド情報の拡大処理は行わずに拡大映像に合成して表示している（例えば、特許文献１参照）。また、映像拡大表示中にガイド情報の存在を検知すると、全ての映像拡大処理を中断するものもある。さらに、ガイド情報の有無に関係なく、常にガイド情報も含めて拡大表示を行っている場合もある。
【０００４】
図９において、（ａ）は本来の映像であり、この映像には、矢印形状の案内標識１と、太陽２と、海３と、複数の建物４とが写し出されている。（ｂ）は、（ａ）における複数の建物４を拡大表示したものである。
【０００５】
同図（ｂ）のように拡大表示を行っているときにガイド情報の存在を検知した場合の、上述の従来の対処例を、同図（ｃ１）〜（ｃ３）に示す。ここでは、ガイド情報として、案内標識１の映像に重ね合わされるべき「街  海」の文字が検知されたとする。
【０００６】
図９（ｃ１）は、上述のようにガイド情報の拡大処理は行わずに拡大映像に合成して表示したものである。この場合は、拡大映像には案内標識１は映し出されていないにもかかわらず、ガイド情報である「街  海」の文字は、拡大映像の表示に関係なく、拡大前の本来の映像における案内標識１の位置に映し出される。このときの処理のフローを図１０に示す。すなわち、ステップ１０１で拡大映像表示中であるかどうかが判定され、拡大映像表示中の場合にはステップ１０２でガイド情報があるかどうか判定され、ガイド情報がある場合にはステップ１０３でその合成を行って処理を終わるものである。
【０００７】
図９（ｃ２）は、上述のように全ての映像拡大処理を中断するものについて示した図である。この場合には、図示のように拡大前の本来の映像が写し出され、ガイド情報である「街  海」の文字は、案内標識１の映像に正しく重ね合わされた状態に合成される。このときの処理のフローを図１１に示す。すなわち、ステップ１１１で拡大映像表示中であるかどうかが判定され、拡大映像表示中の場合にはステップ１１２でガイド情報があるかどうか判定され、ガイド情報がある場合にはステップ１１３で拡大映像作成表示処理を終了して本来の映像を映し出し、ステップ１１４でそれにガイド情報を重ね合わせるように合成処理を行って、処理を終わるものである。
【０００８】
図９（ｃ３）は、上述のようにガイド情報の有無に関係なく常にガイド情報も含めて拡大表示を行うものについて示した図である。ガイド情報である「街  海」の文字は、案内標識１の映像に正しく重ね合わされ、かつこの案内標識１の映像とともに拡大処理された状態で合成される。このため、図示のようにガイド情報が画面に表示されないことが起こり得る。このときの処理のフローを図１２に示す。すなわち、ステップ１２１で拡大映像表示中であるかどうかが判定され、拡大映像表示中の場合にはステップ１１２でガイド情報があるかどうか判定され、ガイド情報がある場合にはステップ１０３でその拡大合成を行って処理を終わるものである。
【０００９】
【特許文献１】
特開２００２−３３５４９６号公報
【００１０】
【発明が解決しようとする課題】
図９（ｃ１）および図１０に示したように、映像拡大表示中にガイド情報の存在を検知してもガイド情報の拡大処理を行わない場合は、ガイド情報と拡大された他映像との表示位置がずれてしまい、映像作成者の意図と異なる映像を表示してしまうという課題がある。
【００１１】
図９（ｃ２）および図１１に示したように、映像拡大表示中にガイド情報の存在を検知すると映像全ての拡大処理を一切行わない場合は、ユーザの「映像を拡大表示したい」という意図を無視してしまうという課題がある。
【００１２】
図９（ｃ３）および図１２に示したように、ガイド情報の有無に関係なく常にガイド情報も含めた映像拡大表示を行う場合には、ガイド情報が拡大映像表示範囲内に入らない場合は、ユーザがガイド情報を確認できないことがあるという課題がある。
【００１３】
そこで本発明は、これらの課題を解決して、ガイド情報付きの映像再生装置であって拡大映像表示が可能なものにおいて、ガイド情報と映像との表示位置がずれて映像作成者の意図した映像が再現できなくなることを防止するとともに、ユーザの「映像を拡大表示したい」という意図を無視しないようにし、かつガイド情報が拡大映像表示範囲内に入らずにユーザがガイド情報を確認できなくなることを防止することを目的とする。
【００１４】
【課題を解決するための手段】
この目的を達成するため本発明は、本来の映像の一部を拡大した拡大映像を表示する機能とガイド情報を表示する機能とを備えた映像再生装置において、拡大映像の表示範囲内にガイド情報を表示不可能な場合に、前記本来の映像の縮小映像を前記拡大映像と同時に表示し、かつ縮小したガイド情報を前記縮小映像に合成して表示するものである。
【００１５】
このようにすると、映像の拡大表示中にガイド情報の存在を検知した時に、ガイド情報と映像の表示位置とがずれて映像作成者の意図した映像が再現できないという課題は、同時に表示した縮小映像に縮小したガイド情報を合成することで解決できる。ユーザの「映像を拡大表示したい」という意図を無視してしまう課題は、拡大映像も同時表示することで解決できる。また、ガイド情報が拡大映像の表示範囲内に入らない場合はユーザがガイド情報を確認できないという課題は、同時に表示した縮小映像に縮小したガイド情報を合成することで解決できる。
【００１６】
本発明によれば、拡大映像と縮小映像との両方が動画であることが好適である。
また本発明によれば、拡大映像と縮小映像とのいずれか一方が動画であるとともに、他方が静止画であることが好適である。
【００１７】
また本発明によれば、縮小したガイド情報を縮小映像に合成して表示している場合に、ガイド情報を拡大映像の表示範囲内に表示可能となったときには、縮小映像の表示を中止して、拡大したガイド情報を拡大映像に合成することが好適である。
【００１８】
また本発明によれば、縮小したガイド情報を縮小映像に合成して表示している場合に、ガイド情報がなくなったときには、縮小映像の表示を中止することが好適である。
【００１９】
【発明の実施の形態】
ガイド情報付き映像再生装置としてＤＶＤプレーヤがあり、またＤＶＤプレーヤの中には２つの映像を同時に表示することができるものがある。そこで、以下においてはＤＶＤプレーヤを例に述べる。
【００２０】
図１において、（ａ）は本来の映像、（ｂ）は（ａ）における複数の建物４を拡大表示したものであり、これらは図９に示したものと同じである。すなわち、（ａ）の本来の映像において、１は矢印形状の案内標識、２は太陽、３は海、４は上記のように複数の建物４である。
【００２１】
ここでは、ハイライト情報というＤＶＤ特有のガイド情報が、本来の映像を拡大した拡大映像の表示範囲内に表示不可能である場合には、図１（ｃ）に示すように、拡大映像内に本来の映像を縮小した縮小映像５を表示し、この縮小映像５に、縮小したガイド情報（すなわち「街  海」の文字）６を合成表示する。
【００２２】
これにより、従来におけるガイド情報と他映像の表示位置がずれて映像作成者の意図した映像が再現できない課題は、同時表示した縮小映像５に縮小したガイド情報６を合成することで解決できる。従来におけるユーザの「映像を拡大表示したい」という意図を無視してしまう課題は、図１（ｃ）に示すように拡大映像も同時表示することで解決できる。また、従来におけるガイド情報が拡大映像表示範囲内に入らない場合はユーザがガイド情報を確認できない課題は、同時表示した縮小映像６に縮小したガイド情報６を合成することで解決できる。
【００２３】
図２は、本発明にもとづくＤＶＤプレーヤの構成例を示す。ここで２１はＤＶＤビデオディスク、２２はディスク２１からのデータ読み出し部、２３は読み出したデータについての映像復号部、２４は復号したデータを格納するメモリ、２５はメモリ２４から出力される映像を拡大するための映像拡大部、２６はメモリ２４から出力される映像を縮小するための映像縮小部、２７は映像拡大部２５からの拡大映像と映像縮小部２６からの縮小映像とを合成して出力するための合成部、２８は上記各部を制御するためのシステム制御部である。
【００２４】
本発明にもとづく第１の処理のフローを図３に示す。すなわち、ステップ３１で拡大映像表示中であるかどうかが判定され、拡大映像表示中の場合にはステップ３２でガイド情報があるかどうか判定され、ガイド情報がある場合には、ステップ３３において、拡大映像の表示範囲中にそのガイド情報を表示可能であるかどうかが判定される。表示可能である場合は、図２の映像拡大部２５と合成部２７とによって、ガイド情報の拡大合成処理が行われる（ステップ３４）。
【００２５】
ステップ３３で、拡大映像の表示範囲中にそのガイド情報を表示できないと判定された場合には、ステップ３５において、図２の映像縮小部２６と合成部２７とによって、拡大前の本来の映像を縮小して、表示中の拡大映像と同時に表示する。またステップ３６において、図２の映像縮小部２６と合成部２７とによって、ガイド情報を縮小したうえで上記のように縮小された本来の映像に合成して表示する。図１（ｃ）は、このようにして拡大映像と縮小された本来の映像とが同時に表示され、しかも縮小された本来の映像にガイド情報が合成して表示されているものの例を示す。
【００２６】
本発明にもとづく第２の処理のフローを図４に示す。ここでは、表示中の拡大映像が動画であるとともに、この拡大映像と同時に表示する縮小映像も動画である場合について説明する。
【００２７】
図４において、ステップ４１で拡大映像（動画）の表示中であるかどうかが判定され、拡大映像表示中の場合にはステップ４２でガイド情報があるかどうか判定され、ガイド情報がある場合には、ステップ４３において、拡大映像の表示範囲中にそのガイド情報を表示可能であるかどうかが判定される。表示可能である場合は、図２の映像拡大部２５と合成部２７とによって、ガイド情報の拡大合成処理が行われる（ステップ４４）。
【００２８】
ステップ４３で、拡大映像（動画）の表示範囲中にそのガイド情報を表示できないと判定された場合には、ステップ４５において、図２の映像縮小部２６と合成部２７とによって、拡大前の本来の映像（動画）を縮小する。そして、ステップ４６において、その縮小された映像（動画）を表示中の拡大映像（動画）と同時に表示する。またステップ４７において、図２の映像縮小部２６と合成部２７とによって、ガイド情報を縮小したうえで上記のように縮小された本来の映像に合成して表示する。
【００２９】
本発明にもとづく第３の処理のフローを図５に示す。ここでは、表示中の拡大映像が静止画であるとともに、この拡大映像と同時に表示する縮小映像が動画である場合について説明する。
【００３０】
図５において、ステップ５１で拡大映像（静止画）の表示中であるかどうかが判定され、拡大映像表示中の場合にはステップ５２でガイド情報があるかどうか判定され、ガイド情報がある場合には、ステップ５３において、拡大映像（静止画）の表示範囲中にそのガイド情報を表示可能であるかどうかが判定される。表示可能である場合は、図２の映像拡大部２５と合成部２７とによって、ガイド情報の拡大合成処理が行われる（ステップ５４）。
【００３１】
ステップ５３で、拡大映像（静止画）の表示範囲中にそのガイド情報を表示できないと判定された場合について説明する。まず、ステップ５５において、現在表示中の拡大映像（静止画）の作成処理を終了させ、次にステップ５６において、縮小映像（動画）の作成を開始する。そしてステップ５７において、前述のように縮小された動画を現在表示中の拡大映像（静止画）と同時に表示する。また、ステップ５８において、図２の映像縮小部２６と合成部２７とによってガイド情報を縮小したうえで、上記の縮小映像（動画）に合成して表示する。
【００３２】
本発明にもとづく第４の処理のフローを図６に示す。ここでは、表示中の拡大映像が動画であるとともに、この拡大映像と同時に表示する縮小映像が静止画である場合について説明する。
【００３３】
図６において、ステップ６１で拡大映像（動画）の表示中であるかどうかが判定され、拡大映像表示中の場合にはステップ６２でガイド情報があるかどうか判定され、ガイド情報がある場合には、ステップ６３において、拡大映像（動画）の表示範囲中にそのガイド情報を表示可能であるかどうかが判定される。表示可能である場合は、図２の映像拡大部２５と合成部２７とによって、ガイド情報の拡大合成処理が行われる（ステップ６４）。
【００３４】
ステップ６３で、拡大映像（動画）の表示範囲中にそのガイド情報を表示できないと判定された場合について説明する。まず、ステップ６５において、縮小映像（静止画）を作成する。そしてステップ６６において、前述のように縮小された静止画を現在表示中の拡大映像（動画画）と同時に表示する。また、ステップ６７において、図２の映像縮小部２６と合成部２７とによってガイド情報を縮小したうえで、上記の縮小映像（静止画）に合成して表示する。
【００３５】
本発明にもとづく第５の処理のフローを図７に示す。ここでは、拡大映像と、ガイド情報が合成された縮小映像とが同時に表示されている場合において、拡大映像の表示範囲内にガイド情報を表示できるようになったときの処理について説明する。
【００３６】
図７において、ステップ７１で拡大映像と縮小映像とが同時に表示中であるかどうかが判定され、両者が同時に表示中である場合にはステップ７２でガイド情報があるかどうか判定され、ガイド情報がある場合にはステップ７３で拡大映像の表示範囲内にガイド情報を表示できるようになったかどうかを判定する。
【００３７】
ステップ７３において、拡大映像の表示範囲内にガイド情報を表示できるようになったと判定された場合には、ステップ７４において、縮小映像の作成処理と、その縮小映像を拡大映像と同時に表示する処理とを終了する。また、ステップ７５において、縮小されたガイド情報を縮小映像に合成する処理も終了する。そして、ステップ７６において、表示範囲内にガイド情報を表示し得る拡大映像を作成し、ステップ７７において、ガイド情報を拡大して拡大映像に合成する処理を行う。
【００３８】
本発明にもとづく第６の処理のフローを図８に示す。ここでは、拡大映像と、ガイド情報が合成された縮小映像とが同時に表示されている場合において、ガイド情報がなくなったときの処理について説明する。
【００３９】
図８において、ステップ８１で拡大映像と縮小映像とが同時に表示中であるかどうかが判定され、両者が同時に表示中である場合にはステップ８２でガイド情報があるかどうか判定される。
【００４０】
ステップ８２において、それまで存在していたガイド情報がなくなってしまったと判定された場合には、ステップ８３において、縮小映像の作成処理と、その縮小映像を拡大映像と同時に表示する処理とを終了する。また、ステップ８４において、縮小されたガイド情報を縮小映像に合成する処理も終了する。そして、ステップ８５において、縮小映像が表示されない拡大映像を作成して表示する。
【００４１】
【発明の効果】
以上のように本発明によると、従来の映像拡大表示中にガイド情報の存在を検知してもガイド情報の拡大処理は行わずに拡大映像に重ねて表示している方法と比較して、映像作成者の意図した映像を表示することができる点で優位性がある。また、従来の映像拡大表示中にガイド情報の存在を検知すると全ての映像拡大処理を中断してしまう方法と比較しても、ユーザの「映像を拡大表示したい」という意図を実現し続ける点で優位性がある。さらに、従来のガイド情報の有無に関係なく常にガイド情報も含めて拡大表示を行っている方法と比較しても、ガイド情報が表示範囲外に外れてしまって見えなくなることがない点で優位性がある。
【００４２】
本発明の方法において、拡大映像と縮小映像の両方を動画として同時に表示する方法では、映像作成者の意図を再現した映像とユーザが見たい拡大映像の両方が動画であるため、両者の意図をより生かした方法である。
【００４３】
本発明の方法において、拡大映像と縮小映像の片方を動画、一方を静止画として同時に表示する方法では、一方が静止画で済むため、映像拡大と映像縮小の同時処理を続ける必要がなく、システムとしての処理能力が低くとも、映像作成者とユーザの意図を生かすことができる。
【００４４】
本発明の方法において、拡大映像と縮小映像を同時に表示し、縮小したガイド情報を縮小映像に合成中に、前記ガイド情報が拡大映像表示範囲内に表示可能に変化したときには、縮小映像の表示を中止して、拡大したガイド情報を拡大映像に合成する方法は、縮小映像を表示しなくとも拡大映像だけで映像作成者の意図を再現できるときには、そのときに縮小映像がユーザの意図した拡大映像の一部を隠してしまう欠点でしかなくなるのを防ぐ意味がある。
【００４５】
本発明の方法において、拡大映像と縮小映像を同時に表示し、縮小したガイド情報を縮小映像に合成中に、前記ガイド情報がなくなったときには、縮小映像の表示を中止する方法は、そのときに縮小映像がユーザの意図した拡大映像の一部を隠してしまう欠点でしかなくなるのを防ぐ意味がある。
【図面の簡単な説明】
【図１】本発明の実施の形態の拡大映像の表示方法を説明する図
【図２】本発明の実施の形態の拡大映像の表示方法を実施するためのＤＶＤプレーヤの構成例を示す図
【図３】本発明の方法の第１の処理のフローを示す図
【図４】本発明の方法の第２の処理のフローを示す図
【図５】本発明の方法の第３の処理のフローを示す図
【図６】本発明の方法の第４の処理のフローを示す図
【図７】本発明の方法の第５の処理のフローを示す図
【図８】本発明の方法の第６の処理のフローを示す図
【図９】従来の拡大映像の表示方法を説明する図
【図１０】従来における第１の処理のフローを示す図
【図１１】従来における第２の処理のフローを示す図
【図１２】従来における第３の処理のフローを示す図
【符号の説明】
５    縮小映像
６    縮小したガイド情報
【図１】
2004343264.tif 000003
【図２】
2004343264.tif 000004
【図３】
2004343264.tif 000005
【図４】
2004343264.tif 000006
【図５】
2004343264.tif 000007
【図６】
2004343264.tif 000008
【図７】
2004343264.tif 000009
【図８】
2004343264.tif 000010
【図９】
2004343264.tif 000011
【図１０】
2004343264.tif 000012
【図１１】
2004343264.tif 000013
【図１２】
2004343264.tif 000014